(57)【特許請求の範囲】
【請求項１】
上部に上細テーパー状の抜孔（１ａ）と下部に抜孔（１ａ）に連通する円筒部（１ｂ）を有する本体（１）と、この円筒部（１ｂ）内を摺動自在で中央にロープ収納孔（３ｆ）を有する摺動把持体（３）と、摺動把持体（３）の上部（３ｃ）の同一円周上複数の半径方向外向きのテーパー孔（３ａ）にテーパー状抜孔（１ａ）に押されて一部がロープ収納孔（３ｆ）へ突出する狭持用ボール（２）を嵌挿し、この摺動把持体（３）を常時上向きに付勢するスプリング（５）と、本体（１）に設けられ摺動把持体（３）の摺動を案内する上下方向の案内溝（１ｃ）及び摺動把持体（３）をスプリング力に抗して固定するため、上記案内溝（１ｃ）の下端に連通し、且つ、円周方向に沿って設けられている固定溝（１ｄ）と、を備え、摺動把持体（３）に固定した横向きのピン（４）を案内溝（１ｃ）を通して本体外に突出させると共に、本体（１）の外側からロープ収納孔（３ｆ）にロープ（ｅ）を入れるため、本体（１）の外側からロープ収納孔（３ｆ）に至る深さのロープ通し溝（３ｇ、１ｆ）を、摺動把持体（３）と本体（１）とに、ロープ収納孔（３ｆ）に沿って設け、しかもこれらロープ通し溝（３ｇ、１ｆ）はピン（４）が固定溝（１ｄ）に位置している時は、ロープを入れることができるように夫々合致し、案内溝（１ｃ）に位置している時は、ロープ（ｅ）が抜け出ない位置となって略閉塞される如く配設したことを特徴とする固定具。
【請求項２】
本体（１）の外周に固定部材を有する回転自在な回転体（７）を設けた請求項１に記載の固定具。
【発明の詳細な説明】
【０００１】
【発明の属する技術分野】
本発明はロープ、棒等の長尺物体の任意箇所に楔作用を利用して取り付け出来る着脱自在な固定具に関する。
【０００２】
【従来の技術】
ロープ、棒等の任意箇所に楔作用を利用して取り付ける固定具は既に多数提案されている。図７に示すものはその一例である。即ち図７に示すものは、スプリングｃにより常時閉方向ｄに付勢されている複数の鋸歯状突起ｂを有する挾持体ａを左右に一定間隔を明けて基板ｈ上に回動可能に配設したもので、ロープｅを両挾持体ａ、ａ間に挾み入れ、楔作用を利用して固定具ｋのｆ方向（ロープｅではｇ方向）への滑動を阻止し固定する。ところがこの種の方法によると次の不具合が生じる。
▲１▼  固定具ｋに横方向力ｊ（図７イ）が作用すれば簡単にロープｅとの係合が外れる。
▲２▼  ▲１▼項の不具合を防ぐ為に挾持体間に外れ防止体を設けるとロープｅへの着脱をロープ端より行なわなければならず、かつ両挾持体ａ、ａを指で開いてロープｅを通す必要があり、作業が煩わしい。又任意箇所での固定具ｋの脱着が出来ない。
【０００３】
【発明が解決しようとする課題】
固定具に横方向力が作用してもロープ等から外れず、又ロープの任意箇所で固定具の脱着が出来るようにすることである。
【０００４】
請求項１に記載の固定具は、上部に上細テーパー状の抜孔（１ａ）と下部に抜孔（１ａ）に連通する円筒部（１ｂ）を有する本体（１）と、この円筒部（１ｂ）内を摺動自在で中央にロープ収納孔（３ｆ）を有する摺動把持体（３）と、摺動把持体（３）の上部（３ｃ）の同一円周上複数の半径方向外向きのテーパー孔（３ａ）にテーパー状抜孔（１ａ）に押されて一部がロープ収納孔（３ｆ）へ突出する狭持用ボール（２）を嵌挿し、この摺動把持体（３）を常時上向きに付勢するスプリング（５）と、本体（１）に設けられ摺動把持体（３）の摺動を案内する上下方向の案内溝（１ｃ）及び摺動把持体（３）をスプリング力に抗して固定するため、上記案内溝（１ｃ）の下端に連通し、且つ、円周方向に沿って設けられている固定溝（１ｄ）と、を備え、摺動把持体（３）に固定した横向きのピン（４）を案内溝（１ｃ）を通して本体外に突出させると共に、本体（１）の外側からロープ収納孔（３ｆ）にロープ（ｅ）を入れるため、本体（１）の外側からロープ収納孔（３ｆ）に至る深さのロープ通し溝（３ｇ、１ｆ）を、摺動把持体（３）と本体（１）とに、ロープ収納孔（３ｆ）に沿って設け、しかもこれらロープ通し溝（３ｇ、１ｆ）はピン（４）が固定溝（１ｄ）に位置している時は、ロープを入れることができるように夫々合致し、案内溝（１ｃ）に位置している時は、ロープ（ｅ）が抜け出ない位置となって略閉塞される如く配設したことを特徴とする。
請求項２に記載の固定具は、請求項１に記載の固定具において、本体（１）の外周に固定部材を有する回転自在な回転体（７）を設けたものである。
【０００５】
【発明の実施の形態】
図１、図４の１は本発明による固定具Ｋの本体で、上半部の内面にテーパー代Ｔをもった円錐状の抜孔１ａ（円錐孔）と、下半部の摺動把持体３を内包摺動させる円筒部１ｂとを有している。抜孔１ａと円筒部１ｂは同芯である。上記テーパーは図の上端側が小径で下部方向に拡がりを持たせている（上細）。２は摺動把持体３の上部３ｃ（一端側）の同一円周上複数箇所の半径方向外開きのテーパー孔３ａ（図４）内に嵌挿されたロープ挾持用ボールで、図示のものは円周方向に３個、１２０゜の間隔で配設されている。このボール２は摺動把持体３に設けた前記テーパー孔３ａに出入自在に嵌挿されている。テーパー孔３ａは外周３ｂから中心方向に向って細径となるように穿設されており、その最大径はボール２の直径より大きく、その最小径はボール２の直径より幾分小さくして、最小径からボール２は後述するロープ収納孔３ｆ内に突出してロープｅをロックするが、ロープｅが無い時には孔３ｆ内に抜け落ちない適度の寸法としている。
【０００６】
摺動把持体３の下部側３ｄ（他端部）は上記本体１の円筒部１ｂの内周面に嵌挿され軸方向に摺動する案内部３ｅを形成している。
【０００７】
ここで上記したロープ収納孔３ｆに付いて説明すると、ロープ収納孔３ｆの直径は、摺動把持体３の中心軸方向に貫通させたロープｅの直径ｄ（図３）よりやゝ大き目のＤ（図３）である。このロープ収納孔３ｆに外周３ｂから連通するロープ通し溝３ｇを孔３ｆの全長に亘り設けている。従ってロープ収納孔３ｆとロープ通し溝３ｇの全断面は略Ｕ字状を形成していることになる。ロープ通し溝３ｇは上記ボール２と干渉しないスペースに設けられている。
【０００８】
４は摺動把持体３に固定された横向きのピンで、本体１のテーパー状抜孔１ａに設けた上下方向（軸方向）の案内溝１ｃと案内溝１ｃの下端に連絡する円周方向（横向き）の固定溝１ｄとに係合摺動するようにしている。固定溝１ｄは本体１の円筒部１ｂ側に設けられている。
【０００９】
５は摺動把持体３の他端側（下端部３ｄ）と本体１の円筒部１ｂの底部体６との間に縮設したスプリングで、摺動把持体３を常にテーパー状抜孔１ａ方向上方に付勢している。
【００１０】
本体１並びに底部体６にも上記摺動把持体３に設けたロープ通し溝３ｇと連通する為の略同一幅のロープ通し溝１ｆ、６ｆ（図４ロ）を軸方向全長に亘り設けている。尚底部体６には、摺動把持体３のロープ収納孔３ｆに相当するロープ収納孔６ａを設けている。又、上記摺動把持体３のロープ通し溝３ｇと、本体１のロープ通し溝１ｆ、底部体６のロープ通し溝６ｆとの夫々の溝を円周方向に合致させた時、上記摺動把持体３に固定したピン４が本体１の固定溝１ｄの末端に位置する如く配設し、ピン４を円周方向に移動させて案内溝１ｃの位置になった時摺動把持体３のロープ通し溝３ｇと本体１のロープ通し溝１ｆとの位相がずれ、ロープｅが抜け出ないように位置関係が設定されている。
【００１１】
７は本体１の円筒部１ｂの外周に回転自在に設けた回転体で、その外周に図２の上方から見て左開きのＵ字状の固定リング７ａ（固定部材）が固着されている。回転体７にもロープ通し溝７ｂ（図４ロ）が軸方向全長に亘って設けられている。８は回転体抜止め部材で本体１、底部体６にビス９により共締めされている。尚上記と同様にロープ通し溝８ａが本体１のロープ通し溝１ｆと同一円周上に設けてある。回転体７はその固定リング７ａに取り付けた他のロープ、ケーブル類に外力が作用した時自由にその方向に回転し、捩じれ等を起こさせない為のものである。
【００１２】
以上説明した本発明による固定具Ｋをロープｅ等に装着する時は、ピン４をスプリング５の付勢力に抗して最下端まで押し下げ、その後円周方向に回動させて固定溝１ｄの末端に位置させる（図２）。この状態で夫々のロープ通し溝１ｆ、３ｇ、６ｆ、７ｂ、８ａが軸線上に揃う為、対象となるロープｅを夫々のロープ通し溝１ｆ、３ｇ、６ｆ、７ｂ、８ａを通して摺動把持体３のロープ収納孔３ｆと底部体６のロープ収納孔６ａとに位置させる。しかる後ピン４を円周方向に回動させて案内溝１ｃに位置させれば後はスプリング５により摺動把持体３が上昇する。上昇すれば本体１のテーパー部（テーパー状抜孔１ａ）によりボール２が内方に押し出され、ロープｅに当接若しくは食い込み、スプリング力と固定具自重の楔作用により図４のＷ方向の力に対して強固に固定される。尚Ｗ方向と逆方向の力に対する把持力はない。又、適用するロープｅの太さの許容範囲はテーパー代Ｔとボール２のストロークＳで決まることは勿論である。
【００１３】
図６（ロ）は別の固定部材を示しており、７ｃは固定フック、１５は回転体７にビス１６等で固定された板ばねで、板ばね１５を２点鎖線で示すように撓ませることによりケーブル１１の着脱が可能である。
【００１４】
以上説明した本発明による固定具Ｋは例えば図５の実施例のように使用される。図中１０は有索自航式潜水調査船（以下ビークルと言う）で、内部にビデオカメラ、深度計等の計測器を搭載し、ケーブル１１を通して船１２から遠隔操縦を行なって海中海底の状況調査をする。大深度（略１００ｍ以深）や潮流の激しい海域の場合は、ケーブル１１が潮流に流されてビークル１０が目的深度まで潜航出来なかったり、長時間を要する。この為、目的深度まで重錘１３をワイアーロープｅに取り付けて垂下させ、このロープｅにケーブル１１を取り付けることにより解決している。その時本発明の固定具Ｋを複数個準備し、その固定リング７ａにケーブル１１を適当間隔で固定し、垂下させるロープｅに前述の手段で固定具Ｋを迅速に取り付けて海中に沈下させてゆく。調査が終了し、ロープｅを巻き上げるに従い固定具Ｋも船上に上がってくる。この時前述した手段で素早く固定具Ｋとロープｅとの係合を離脱させて迅速なロープｅの巻取り作業が行なえる。
【００１５】
本発明は上記した海中でのロープ固定具Ｋに限定されるものでなく、例えば陸上での建築作業現場の足場取付用の固定具としても利用出来る。又ロープに限らず棒類でも可能である。
【００１６】
【発明の効果】
本発明による固定具は以上説明したように、ワンタッチで着脱が出来る為、作業性が良く、しかも強固な把持力が得られ、横方向荷重によるワイアーロープの離脱もない等の効果がある。
【図面の簡単な説明】
【図１】  一部縦断正面図である。
【図２】  図１のII矢視側面図である。
【図３】  図１のIII ーIII 断面図である。
【図４】  （イ）はロープ取付状態を示す縦断面図、（ロ）は（イ）のIVーIV矢視図である。
【図５】  使用状態を示す正面略図である。
【図６】  （イ）は図２のVIーVI断面図、（ロ）は別の固定部材を示す同様部分の断面図である。
【図７】  （イ）は従来例の平面図、（ロ）は（イ）の一部縦断正面図である。
【符号の説明】
１          本体
１ａ        テーパー状抜孔
１ｂ        円筒部
１ｃ        案内溝
１ｄ        固定溝
２          挾持用ボール
３          摺動把持体
４          ピン
５          スプリング
７          回転体
７ａ        固定リング（固定部材）
７ｃ        固定フック（固定部材）
ｅ          ロープ
Ｋ          固定具
【図１】
0003978274.tif 000002
【図２】
0003978274.tif 000003
【図３】
0003978274.tif 000004
【図４】
0003978274.tif 000005
【図５】
0003978274.tif 000006
【図６】
0003978274.tif 000007
【図７】
0003978274.tif 000008